(57)【要約】【課題】  従来のテープ媒体のビデオカメラにおいてアフレコを実行する際、アフレコ開始位置までテープを移動したり、入力装置を接続したりと手間が掛かっていた。【解決手段】  前記課題を解決するため、ＤＶＤなどのディスクを媒体としたカメラにおいて事前にアフレコ用音声ファイルを半導体メモリに記録することで、比較的容易にアフレコを実現できる。これにより、使い勝手の良い情報記録再生装置が実現できる。【選択図】  図１
2006148184.tif 000002
【特許請求の範囲】
【請求項１】
映像音声を記録可能な記録媒体を２つ以上搭載し、前記記録した映像音声がサムネール表示される機能と、アフレコ機能及び同等な機能を有する情報記録再生装置において、
サムネールの中からアフレコ対象の映像音声を選択し、別の記録媒体からアフレコ用音声を選択し、前記映像音声の映像と前記アフレコ用音声を多重化することが可能な情報記録再生装置。
【請求項２】
前記記録媒体のひとつがＤＶＤ，もしくはＨＤＤであり、別の記録媒体が半導体メモリであることを特徴とした請求項１に記載の情報記録再生装置。
【請求項３】
前記記録媒体のひとつがＤＶＤであり、別の記録媒体がＨＤＤであることを特徴とした請求項１に記載の情報記録再生装置。
【請求項４】
前記記録媒体のひとつがＤＶＤであり、別の記録媒体もＤＶＤであることを特徴とした請求項１に記載の情報記録再生装置。
【請求項５】
前記多重化は、一旦映像と音声を分離してから再び映像と前記アフレコ用音声を多重化することを特徴とした請求項１に記載の情報記録再生装置。
【請求項６】
前記多重化は、一旦映像と音声を分離してから再び映像と前記アフレコ用音声を多重化するが、オリジナルの音声は消去しないことを特徴とした請求項１に記載の情報記録再生装置。
【請求項７】
ユーザがアフレコ処理を行なう時、前記アフレコ対象の映像音声用サムネールと前記アフレコ用音声ファイル名を同時に表示するＧＵＩ機能を特徴とした請求項１に記載の情報記録再生装置。
【請求項８】
ＤＶＤと半導体メモリの２つの記録媒体を搭載し、それぞれ記録した映像音声がサムネール表示される装置とアフレコ機能及び同等な機能を有する情報記録再生装置において、
サムネールの中からアフレコ対象の映像音声を選択し、別の記録媒体からアフレコを行なう音声信号を選択し、前記映像音声の映像と前記アフレコ用音声信号を多重化することが可能なビデオカメラ装置。
【請求項９】
ＤＶＤと半導体メモリの２つの記録媒体を搭載し、それぞれ記録した映像音声がサムネール表示される装置と映像音声を別のドライブにコピー、移動、再圧縮する機能を有する情報記録再生装置において、
映像音声を、コピー、移動、再圧縮する際に、別ドライブにある音声ファイルを選択し、前記音声ファイルを多重化することが可能なビデオカメラ装置。
【発明の詳細な説明】
【技術分野】
【０００１】
本発明は、アフレコ機能、もしくはそれと同等な機能を搭載した記録再生装置に関するものである。
【背景技術】
【０００２】
昨今、ビデオカメラの記録媒体としてＤＶＤなどのディスクメディアが登場してきており、上書きの心配がないことや記録映像音声の再生、検索の容易さから、記録媒体はテープからディスクへと淘汰されてきている。さらに、記録媒体が２つのあるＤＶＤカメラも存在しており利便性を増している。また、ビデオカメラの機能のひとつとしてアフレコ機能があるが、従来は外部入力装置を利用して行なうのが一般的であった。各社、ビデオカメラの取り扱い説明書を見れば明白である。さらにＳＤカードを搭載したＤＶ（デジタルビデオ）カメラにおいてＳＤカード上の音声ファイルをアフレコ用の音声にして利便性を高める方法も公開されている。
【０００３】
【特許文献１】特開２００２−２７１７２６号公報
【発明の開示】
【発明が解決しようとする課題】
【０００４】
特許文献１に記載の技術において、磁気記録再生装置を利用することで、外部入力装置を使用するという煩雑な処理は解消されてはいるが、メディアがテープである為、アフレコの際、わざわざ開始位置まで再生を（おそらく早送りなども必要）行なわなければならない。その為、ＧＵＩ（グラフィックユーザーインターフェース）からの指示だけでアフレコを行なうことはできなかった。ディスクで記録する場合、一度の記録単位でサムネール画像を生成することが一般的であるので、アフレコする記録単位（以下、コンテンツと呼ぶ）を簡単に検索できる。その為、ＧＵＩ上でアフレコするコンテンツや、ＳＤカード上の音声信号（実際にはファイルとして見える）を選択するだけで、容易にアフレコを実行することができる。
【０００５】
今後、ビデオカメラの媒体は、テープからディスクへ淘汰されることは間違いない。本願発明の目的は、ＤＶＤなどの光磁気ディスクを用いることにより、従来よりも簡単にアフレコが行なえる装置を提供することである。
【課題を解決するための手段】
【０００６】
上記装置を実現する為に、本発明では、記録媒体は２つ以上搭載し、記録したコンテンツがサムネール表示される装置と、アフレコ機能及び同等な機能を有する装置を搭載する情報記録再生装置において、音声を変更したいコンテンツをサムネールの中から選択し、変更する音声信号を別の記録媒体のサムネールから選択し、選択された前記コンテンツに前記音声信号を多重化することが可能な機能を有する。
【０００７】
上記構成により、ユーザは外部入力装置を必要とせず、わざわざ再生開始位置までテープを再生させて準備しておく必要がなくなり、ユーザの利便性が向上する。
【０００８】
また、ＤＶＤの媒体上のＭｐｅｇ２の動画をＭｐｅｇ４へ変換しＳＤカードへ書き込む機能（トランスコードと呼ぶ）を有するビデオカメラにおいて、変換の際のＢＧＭのオーディオ信号をＳＤカードに準備しておけば、この場合にも容易に音声の交換が可能である。この場合は、元の映像音声は残ったままなので、他のパターンを作成することも可能である。
【発明の効果】
【０００９】
ユーザはアフレコや音声交換の際、外部入力装置を必要とすることなく、また、わざわざ再生開始位置までテープを再生させて準備しておく必要がなくなり利便性が向上する。
【発明を実施するための最良の形態】
【００１０】
上記の発明を実現する為の実施例を２つ説明する。
【実施例１】
【００１１】
以下、本発明の実施例１を図１から図６を用いて説明する。図１は、本実施例を実行する為の構成図である。例としてＤＶＤビデオカメラの場合で説明する。１００は、ユーザがビデオカメラに処理を促す為のボタンなどの操作部である。１０１は、ＣＣＤやマイクなどの映像音声入力部である。１０２は、映像音声入力部１０１から入力された映像,音声を圧縮する記録再生部である。ここには図示してはいないが映像音声入力部から入力された映像音声は一般的にフィルタなどの前処理を行う必要がある。また、記録再生部１０２は、再生時には圧縮ストリームを伸長する。１０３は、圧縮されたデータをディスクに書きこむ際に使用する緩衝用バッファである。１０４は、記録媒体であるＤＶＤ−ＲＡＭである。この媒体は、特にＤＶＤ−ＲＡＭに限る必要はない。ＤＶＤ−ＲＷでもＨＤＤなどでもかまわない。１０５は、システムを制御するＣＰＵである。１０６は、記録したシーンをサムネール表示するサムネール表示部である。１０７は、ＳＤカードである。このＳＤカード１０７には、音声ファイルだけでなく、静止画、動画も記録することができる。
【００１２】
図２は、記録した映像音声のサムネール表示を行なう画面２００であり、２０１は、題名であり、プログラムかプレイリストかなどを表示する。２０２と２０３は、サムネール画像である。２０３の方は、現在ユーザが選択している状態を表示している。２０４は、選択されているサムネールの時間や媒体の情報などを表示する。２０５は、操作方法の表示であり、２０６は、選択したサムネールの位置を表すプログレスバーであり、２０７は、ページをあらわしている。
【００１３】
図３は、アフレコ用音声を表示する画面であり、ＳＤカードの例で説明する。２つ目の媒体がＤＶＤでもＨＤＤでも構わない。図３は、主記録する媒体ではない方であり、ＤＶＤやＨＤＤだった場合でも、同様な表示とすれば良い。３１０が実際にＰＣや音声をカメラで記録したアフレコ対象の音声ファイルを表示する画面であり、状態の３１１が題名であり、音声ファイル一覧を表示している状態である。音声は、ＭＰ３やＡＡＣでもよく、特に指定はしない。但し、多重化する場合には、ＶＲの規格に準拠した音声に再圧縮する必要があるので、最初から互換を考慮した音声を記録しておくことが望まれる。当然、異なる場合には再圧縮が必要となる。３１２と３１３はアフレコ用の音声ファイルを表しており、３１３の方は、ユーザが選択している状態を表している。３１４は、ユーザ操作ボタン説明と媒体の表示を行なう表示部である。
【００１４】
図４は、アフレコ処理を行なう時に表示する画面である。４００は、全体画面であり、アフレコする映像音声のサムネールとアフレコ用の音声が表示されている状態である。４０１は、題名で、アフレコの選択を促す表示となっている。４０２は、アフレコ用の音声ファイルであり、４０３が、アフレコ対象の映像音声サムネールである。４０４と４０５は、それぞれアフレコ対象映像音声４０３とアフレコ音声ファイル４０２の位置を表すプログレスバーである。４０６は、アフレコ対象を選択するブロックで、４０７は、アフレコ用音声を選択するブロックである。４１１は、アフレコ中であることをユーザに促す表示である。
【００１５】
図５と６は、映像音声のアフレコを行なう方法について説明したものである。図５は、ＤＶＤ−ＲＡＭ上の映像音声信号をあらわしている。５００は、映像音声でＰＳ（プログラムストリーム）の状態で記録されており、その内部に５０１の映像圧縮エレメンタリストリーム（ＶｉｄｅｏＥＳ）と５０２音声圧縮エレメンタリストリーム（ＡｕｄｉｏＥＳ）とから構成されている。実際には、パック、パケットの構成となるが、図では、イメージ化している。５０３は、アフレコ用のストリームである。図６は、アフレコ後の状態を表してる。
【００１６】
次に記録時の処理を説明する。ユーザが操作部１００に記録の命令を行う。操作部１００の処理を受けてＣＰＵ１０５は、映像、音声の取り込みを開始する。映像音声入力部１０１から入力した映像と音声は、フィルタなどの処理を経て記録再生部１０２で圧縮される。この圧縮処理であるが、ＤＶＤ−ＲＡＭが記録媒体の場合であれば、ＶＲ（ビデオレコーディング規格）に準拠した圧縮を行えば良い。映像は、Ｍｐｅｇ２圧縮であり、音声は、ＤｏｌｂｙＤｉｇｉｔａｌやＭｐｅｇ１Ｌａｙｅｒ２などである。記録再生部１０２で圧縮された映像音声は、大容量メモリ１０３に蓄えられ、一定の間隔でＤＶＤーＲＡＭに書き込まれる。このとき、消費電力量削減の為、間欠駆動を行なっても良い。また、記録のたびに映像音声の先頭の映像をサムネール画像としてＤＶＤ−ＲＡＭに記録しておく。これは、サムネール表示の際にデコードをしなくてもすぐに表示できるようにする為である。
【００１７】
次にサムネール表示する方法について説明する。ユーザは、操作部１００からサムネール表示の指示を行なう。すると図２のナビゲーション画面２００が表示される。２０３の位置にカーソルがある状態である。
【００１８】
次にアフレコ用音声ファイルについて説明する。ユーザは、あらかじめＳＤカードに音声ファイルをコピーしておく。これは、ＰＣ上からでも行なえるし、また、カメラに音声単体記録機能がついているものであれば、カメラ本体で作成することも可能である。記録されたアフレコ用音声は、図３に示すように表示される。ここでは、３１３のファイルが選択されている状態を示している。
【００１９】
次に、アフレコ処理について説明する。ユーザが操作部１００によって、アフレコ実行画面である図４を表示する。まずは、図示していないカーソル移動用ボタンにより、アフレコ対応映像ブロック４０６を選択する。ここでアフレコ対象の映像を検索する。図示していないカーソルを動かすボタンなどを使用して、対象のサムネールを検索することが可能である。選択し終わったら、次にアフレコ音声ブロック４０７を選択する。ここで初めてアフレコ用音声ファイルを選択する。この２つを選択した時点で、図示していない決定ボタンを押すことで、アフレコが開始される。アフレコ中は、４１１の表示をおこなって、ユーザに処理中であることを促す。また、どこまで処理されているかなどの情報をプログレスバーに表示したら更にユーザに親切である。
【００２０】
次に、アフレコ中の映像音声の状態について説明する。図５は、ＤＶＤ−ＲＡＭ上の映像音声データであるが、まずアフレコが開始されると、ＰＳ５００からＶｉｄｅｏＥＳ５０１とＡｕｄｉｏＥＳ５０２を分離する。分離したデータは作業ＲＡＭなどを利用して蓄えて置けばよい。ただ、通常、作業ＲＡＭはそれほど大きくとれないので、分離後、ある程度の量ごとに、分離したＶｉｄｅｏＥＳ５０１とアフレコ音声ＡｕｄｉｏＥＳ５０３の多重化を行なっていく必要がある。最終的に図６のようにオリジナルＡｕｄｉｏＥＳ５０１がアフレコＡｕｄｉｏＥＳ５０３になった状態となればよい。また、ＶＲ規格には、静止画についてのアフレコは記載されているが、本実施例は、動画の場合のアフレコの一例を示したものである。また、アフレコ対象の映像音声とアフレコの長さが異なる場合や、映像音声の一部分などにアフレコを行ないたい場合には、一旦映像音声を分割して長さをあわせたり、足りない場合には、自動的に音声を不可する機能を追加しても良い。
【００２１】
上記説明したように片方のドライブにアフレコ用音声ファイルを事前に記録しておくことでＧＵＩ操作のみで、比較的容易にアフレコが実現できる。
【実施例２】
【００２２】
本発明の実施例２を以下に説明する。実施例のシステムとしてトランスコード機能を搭載したＤＶＤ−ＲＡＭビデオカメラで説明する。ここでいうトランスコード機能とは、ＤＶＤ−ＲＡＭに蓄えられたＭｐｅｇ２のコンテンツを再生しながら、Ｍｐｅｇ４に再エンコードするものとする。特に機能の限定をする必要は無く、映像音声のコピー、移動なども可能な機能も含むとする。
【００２３】
通常、Ｍｐｅｇ２で記録されたものは、ＤＶＤ−ＲＡＭなどの大容量メモリに、また、Ｍｐｅｇ４などは、小容量の半導体メモリ（例えばＳＤカード）などに蓄えられる。
【００２４】
このトランスコードを行なう場合に、実施例１のアフレコ機能を利用する。つまり、オリジナルのＤＶＤ−ＲＡＭ上のＭｐｅｇ２のファイルはそのままに、ＳＤ上にＭｐｅｇ４、（容量があれば、Ｍｐｅｇ２でも良いが）としてアフレコ音声だけを書き換えた映像音声を作成することができる。アフレコ用のファイルもＳＤカード上にあるので、排他制御や、バッファのやりくりが必要となるが、ここでは詳細は説明しない。ＣＰＵの高速化とメモリの増加により対応は可能である。
【００２５】
また、この場合、Ｍｐｅｇ２にオリジナルの映像音声が残っているので、これをベースに他の音声も気軽に試すこともできる。
【００２６】
上記説明したように、片方のドライブにアフレコ用音声ファイルを事前に記録しておくことで、映像音声のコピー、移動、再圧縮する際に簡単に音声を入れ替えることが可能となる。
【図面の簡単な説明】
【００２７】
【図１】本システムの構成図である。
【図２】アフレコ対象の映像音声のサムネール画面を説明する図面である。
【図３】アフレコ音声ファイルのサムネール画面を説明する図面である。
【図４】アフレコを実行する為のＧＵＩを説明する図面である。
【図５】アフレコ前の映像音声の構成を説明する図である。
【図６】アフレコ後の映像音声の構成を説明する図である。
【符号の説明】
【００２８】
１００・・・操作部
１０１・・・映像音声入力部
１０２・・・記録再生部
１０３・・・大容量メモリ
１０４・・・ＤＶＤ
１０５・・・ＣＰＵ
１０６・・・サムネール表示部
１０７・・・ＳＤカード
２００・・・表示画面
２０１・・・題名
２０２・・・サムネール
２０３・・・選択後サムネール
２０４・・・時間表示部
２０５・・・操作部表示部
２０６・・・ファイル用プログレスバー
２０７・・・ページ表示
３１０・・・表示画面
３１１・・・題名
３１２・・・ファイル名
３１３・・・選択されたファイル名
３１４・・・操作部表示部
３１５・・・ページ表示
４００・・・表示画面
５０１・・・題名
４０２・・・音声ファイル名
４０３・・・映像音声ファイル名
４０４・・・ファイルバー
４０５・・・音声ファイル用プログレスバー
４０６・・・映像音声ブロック
４０７・・・音声ブロック
４１１・・・状態表示
５００・・・ＰＳ
５０１・・・ＶｉｄｅｏＥＳ
５０２・・・ＡｕｄｉｏＥＳ
５０３・・・アフレコ用ＡｕｄｉｏＥＳ
【図１】
2006148184.tif 000003
【図２】
2006148184.tif 000004
【図３】
2006148184.tif 000005
【図４】
2006148184.tif 000006
【図５】
2006148184.tif 000007
【図６】
2006148184.tif 000008